(57)【要約】【課題】卓上における高さ調整用の脚部を天井に吊下げる部材としても構成するとともに、天井への吊下げ作業に不慣れな人でも着脱容易に組付けや俯角の調整を行なえること。【解決手段】本体底部２ｃの前端部２ｄ左右に卓上における高さ調整用の脚部２ａを装備する機器２と、同機器２を天井に吊下げるための吊下金具１とからなり、前記吊下金具１は前端部１ａ左右に挿着部１ａａを設け、後端部１ｂ左右に支持部１ｂａを設けてなり、天井３に吊下げる際、前記吊下金具１を天井３に取付け、前記挿着部１ａａに前記脚部２ａを挿着し、前記支持部１ｂａに前記本体底部２ｃの後端部２ｅ左右を回動可能に支持させるとともに、前記脚部２ａにより俯角を調整する。【選択図】  図１
2004347835.tif 000002
【特許請求の範囲】
【請求項１】
本体底部の前端部左右に卓上における高さ調整用の脚部を装備する機器と、同機器を天井に吊下げるための吊下金具とからなり、
前記吊下金具は前端部左右に挿着部を設け、後端部左右に支持部を設けてなり、天井に吊下げる際、前記吊下金具を天井に取付け、前記挿着部に前記脚部を挿着し、前記支持部に前記本体底部の後端部左右を回動可能に支持させるとともに、前記脚部により俯角を調整してなることを特徴とする機器の吊下装置。
【請求項２】
前記装着部を切欠きとしたことを特徴とする請求項１に記載の機器の吊下装置。
【発明の詳細な説明】
【０００１】
【発明の属する技術分野】
本発明は、卓上における高さ調整用の脚部を天井に吊下げる部材としても構成するプロジェクタ装置等を吊下げるための機器の吊下装置に関するものである。
【０００２】
【従来の技術】
従来の天井への吊下げ設置に対応する調整機構及び取付け部品を備えたプロジェクタ装置は、図４（ａ）及び図４（ｂ）に示すように、プロジェクタ装置本体６の天板６ａの後部に、装置本体６の後部を天井Ａに支持するための支持部７ａを設けるとともに、支持部７ａは同支持部７ａを支点にして装置本体６の前部が上下の傾き方向または左右の傾き方向に回動可能に形成され、装置本体６の天板６ａの前部の左右に、装置本体６の前部を天井Ａに取り付けるための取付部７ｂをそれぞれ設けるとともに、左右の取付部７ｂは装置本体６の前部が天井Ａからの上下方向の位置をそれぞれ個別に調整可能とする位置調整手段７ｃをそれぞれ備えている。
支持部７ａは、天井Ａに取付けたシャフト７ａａと、装置本体６の天板６ａに下端が固定されるとともに、シャフト７ａａに係止し装置本体６を支持するフック７ａｂとからなっている。
取付部７ｂは、天井Ａに上端が取付られて垂下するボルト７ｂａと、装置本体６の天板６ａに取付られ、ボルト７ｂａを挿通する挿通孔を有する取付板７ｂｂと、ボルト７ｂａと取付板７ｂｂとを螺着するナット７ｂｃとからなり、位置調整手段７ｃは、ボルト７ｂａと、取付板７ｂｂと、ボルト７ｂａの下部の周囲の所定の範囲に設けたネジ山と、ボルト７ｂａと取付板７ｂｂとをネジ山の所定の位置で固定するナット７ｂｃとからなっている。
装置本体６の取付時には、まず支持部７ａを係止させ、装置本体６の前部の位置調整手段７ｃのナット７ｂｃの位置を所定の位置に固定することで、上下方向および左右方向の傾きを調整することができる（特許文献１参照）。
【０００３】
また、卓上への載置と天井への吊下げ設置の両方に対応できる調整機構及び取付け部品を備えたプロジェクタ装置は、図５（ａ）乃至図５（ｃ）に示すように、図５（ａ）及び図５（ｂ）では、卓上へ載置する場合であって、プロジェクタの投射角度が大きい場合の調整機構であり、プロジェクタ本体８のレンズ９による投射角度を下げたり、上げたりする場合に、プロジェクタ本体８の後縁８ｂ側または前縁８ａ側を手で持ち上げ、回転支持脚１０の締付けネジ等の固定手段を解除し、回転支持脚１０の脚部の回転角を連続的に変化させて、回転支持脚１０を後傾または前傾させ、回転支持脚１０の脚部の回転角を大小に変化させて後縁または前縁の高さ位置を調整し、回転支持脚１０を固定手段にて固定する。
図５（ｃ）では、天井に設置する場合のものであり、プロジェクタ本体８の前縁部８ａと後縁部８ｂとの中間位置に回転可能に取付けられた回転支持脚１０を天井部１１に設置用金具１２により吊り下げ設置するように取付けられ、プロジェクタ本体８を回転支持脚１０の脚部の回転支持位置を中心として回転させ、プロジェクタ本体８のレンズ９による投射角度を調整する（特許文献２参照）。
【０００４】
【特許文献１】
特開２００２−３４４８４６号公報（第３頁及び第４頁、図１）
【特許文献２】
特開２００１−００５０９４号公報（第３頁、図７乃至図８）
【０００５】
【発明が解決しようとする課題】
しかしながら、特許文献１におけるプロジェクタ装置では、プロジェクタ装置本体を天井に吊下げるには、位置調整手段を備える左右の取付部を天井設置部品として用意し、これらの取付部をプロジェクタ装置の天板と天井の間にそれぞれ組付けるため、プロジェクタ装置本体を支持しながら組付けることとなり、不慣れな人にとって手間を要するものであった。
【０００６】
また、特許文献２におけるプロジェクタ装置では、プロジェクタ装置本体を天井に吊下げるには、回転支持脚の支点を中心に締付けネジ等を解除することにより投射角度の位置調整するため、プロジェクタ装置本体を支持しながら調整することとなり、不慣れな人にとって手間を要するものであった。
ところで、特許文献２に示すように、プロジェクタ装置本体底部の前端左右それぞれに、高さ調整用の脚部を装備したものが一般的であるが、この高さ調整用の脚部は、卓上に載置する際に使用されるのみであった。
【０００７】
本発明は、上記の問題点に鑑みなされたもので、機器本体底部に装備された高さ調整用の脚部の利便性を高めるため、卓上における高さ調整用の脚部を天井に吊下げる部材としても構成するとともに、天井への吊下げ作業に不慣れな人でも着脱容易に組付けや俯角の調整を行なえる機器の吊下装置を提供することを目的とするものである。
【０００８】
【課題を解決するための手段】
請求項１に記載の発明は、本体底部の前端部左右に卓上における高さ調整用の脚部を装備する機器と、同機器を天井に吊下げるための吊下金具とからなり、
前記吊下金具は前端部左右に挿着部を設け、後端部左右に支持部を設けてなり、
天井に吊下げる際、前記吊下金具を天井に取付け、前記挿着部に前記脚部を挿着し、前記支持部に前記本体底部の後端部左右を回動可能に支持させるとともに、前記脚部により俯角を調整してなることを特徴とするものである。
【０００９】
このような構成においては、機器本体底部に装備された高さ調整用の脚部の利便性を高めるため、卓上における高さ調整用の脚部を天井に吊下げる部材としても構成するとともに、天井への吊下げ作業に不慣れな人でも着脱容易に組付けや俯角の調整を行なえる機器の吊下装置を提供することができる。
【００１０】
請求項２に記載の発明は、請求項１に記載の発明において、前記挿着部を簡単に形成するため、前記装着部を切欠きとしたことを特徴とするものである。
【００１１】
【発明の実施の形態】
以下、本発明の一実施形態例を図面を用いて説明する。
図１は本発明による機器の吊下装置を示す構成図で、（ａ）は分解斜視図、（ｂ）は吊下げ後の機器の上下方向を調整する側面図、（ｃ）は吊下げ後の背面図、図２は本発明による吊下金具の構成図で、（ａ）は第一実施形態例の平面図、（ｂ）は第二実施形態例の要部平面図、図３は本発明による高さ調整用の脚部の構成図で、（ａ）は脚部の収納時の概略側面図、（ｂ）は脚部の上下方向調整時の概略側面図である。
【００１２】
図１及び図２を併用して説明すると、図１（ａ）、図２（ａ）及び図２（ｂ）に示すように、吊下金具１は、プロジェクタ装置本体２の底部外形と略等しい矩形の金属板からなり、その前端部１ａは途中から曲折され、前端左右に後述する高さ調整用脚部が挿着される挿着部としての切欠き１ａａを有し、その後端部１ｂは左右両側から垂直に切り起こされ、後述する係合部に対し支持する支持部１ｂａを備えている。
切欠き１ａａは前方に開放され、支持部１ｂａは切り起こされた切起こし片に支持孔１ｂｂを形成した構成となっている。
また、吊下金具１の中間部１ｃには、吊下金具１自体を天井３に取付けるための取付孔１ｃａを有し、吊下金具１の長手方向に長く延びる複数のスリット孔を形成した構成となっている。
このような吊下金具１を用いてプロジェクタ装置本体２を天井３に吊下げ設置する場合、最初にまず、図１（ｂ）に示すように、吊下金具１は天井３に、取付ネジ４をその取付孔１ｃａを介して螺着し取付けられる。
【００１３】
次に、図１及び図３（ａ）に示すように、プロジェクタ装置本体２は、プロジェクタ装置本体２の底部２ｃの前端部２ｄ左右に、上下方向に可動する調整手段を備えた高さ調整用の脚部２ａを有し、その後端部２ｅの左右にそれぞれ、凹状部には回動可能に支持部１ｂａへと係合するための係合部２ｂを備え、その係合部２ｂは、後述の締付ネジ５を介し支持部１ｂａへ係合される係合孔２ｂａを構成している。２ｆは投射レンズである。
これらの高さ調整用の脚部２ａと係合部２ｂは、吊下金具１の切欠き１ａａと支持部１ｂａの位置に対応して設けられる。
高さ調整用の脚部２ａは上端に円形状の足２ａａが取付けられ、足２ａａの中央内部から一体的に形成し垂下する下部にネジ山２ａｂ’を設けたボルト２ａｂと、ボルト２ａｂのネジ山２ａｂ’の任意の位置に係止する係止片２ａｄを下端に有し、中央に回動自在に軸支される軸支部２ａｅを備えると共に、係止片２ａｄをネジ山２ａｂ’に係止するように付勢するバネ２ａｆをプロジェクタ装置本体２の側部に対向して支持した操作レバー２ａｇを有する係止部２ａｃとから構成されている。
通常、この高さ調整用の脚部２ａは、プロジェクタ装置本体２を卓上に載置して、投射角度（仰角）を調整するために使用される。
このような高さ調整用の脚部２ａを用いてプロジェクタ装置本体２を天井に取付けられた吊下金具１に設置するため、図１（ａ）及び図１（ｂ）に示すように、プロジェクタ装置本体２の天地を逆にし、プロジェクタ装置本体２の高さ調整用の脚部２ａの足２ａａを、吊下金具１の切欠き１ａａに引掛けるように挿着すると共に、プロジェクタ装置本体２の係合部２ｂの係合孔２ｂａを吊下金具１の支持部１ｂａの支持孔１ｂｂに一致させ、締付ネジ５を挿通し仮固定される。
【００１４】
そして、図１（ｂ）、図１（ｃ）及び図３（ｂ）に示すように、仮固定されたプロジェクタ装置本体２の上下方向の投射角度を調整するために、プロジェクタ装置本体２の係合部２ｂと締付ネジ５を回動の支点とし、まず、プロジェクタ装置本体２の高さ調整用の脚部２ａの操作レバー２ａｇを押圧することによって、係止片２ａｄによるボルト２ａｂのネジ山２ａｂ’への係止が解除され、上下方向に大きく調整し、その後、プロジェクタ装置本体２の操作レバー２ａｇを元に戻し係止片２ａｄをボルト２ａｂのネジ山２ａｂ’に係止させ、足２ａａを側部から回動すると、上下方向に微調整する。
このように操作レバー２ａｇと足２ａａによる上下方向の投射角度の調整手法を組み合わせて目的とする投射角度（俯角）に調整しその位置が決定すると、プロジェクタ装置本体２の係合部２ｂへの締付ネジ５を完全に固定することにより、プロジェクタ装置本体２の天井３への吊下げ設置が完了する。
【００１５】
また、図２（ａ）の吊下金具１に代え、図２（ｂ）に示すような吊下金具１を利用した場合、吊下金具１の切欠き１ａａが前方に開放され、この切欠き１ａａの開放端を回動自在に開閉するストッパ１ａｃを設けてなるので、プロジェクタ装置本体２の高さ調整用の脚部２ａの足２ａａを、図１（ｂ）に示すように、切欠き１ａａに挿着した後、ストッパ１ａｃを閉じることによって、その後の設置作業においてプロジェクタ装置本体２が誤って脱落しないようにしている。
更に、図示を省略するが、図１および図２の吊下金具１の支持部１ｂａの構成に代え、吊下金具１の支持部１ｂａを切り起こした切起こし片の一部を内側に更に曲折させて突起部を構成し、あるいは、切起こし片に立設したシャフトを構成し、プロジェクタ装置本体２の係合部２ｂをこの突起部、あるいは、シャフトに対応してプロジェクタ装置本体２の内面に収容可能なフック部を形成することによって、支持部１ｂａの突起部、あるいは、シャフトに対し、係合部２ｂのフック部を引掛け、プロジェクタ装置本体２の後端部２ｅの係合部２ｂを吊下金具１の支持部１ｂａに対し回動支点となるようにしてもよい。
【００１６】
また、図示を省略するが、プロジェクタ装置本体２の底部に吊下金具１を保持しプロジェクタ装置本体２を卓上で使用するような時には、吊下金具１は、プロジェクタ装置本体２の高さ調整用の脚部２ａの足２ａａとプロジェクタ装置本体２の係合部２ｂ間の底部に沿って当接する形状とし、吊下金具１の取付孔１ｃａに４本の保持用ネジにより螺着すると共に、吊下金具１の支持部１ｂａに締付ネジ５により螺着することにより、プロジェクタ装置本体２の底部に吊下金具１を保持するようにしてもよい。
このように、吊下金具１を保持したプロジェクタ装置本体２はそのまま、卓上に設置し、操作レバー２ａｇ及び足２ａａにより上下方向の投射角度（仰角）を調整して使用することができる。
また、天井に吊下げ設置するための吊下金具１は、プロジェクタ装置本体２に則した外観上シンプルなものとなり、吊下金具１を取付ネジ４および締付ネジ５によって保持することから、吊下金具１をプロジェクタ装置本体２と別に保管する必要をなくし、かつ紛失を防止している。
【００１７】
前記実施形態例では、吊下金具１の切欠き１ａａを前端部左右に設けた場合について説明したが、本発明はこれに限るものでなく、切欠き１ａａを前端部中央に設けた場合も適用できる。
この場合には、プロジェクタ装置本体２の高さ調整用の脚部２ａも前端部中央に装備されたものが対象となる。
【００１８】
前記実施形態例では、吊下金具１の支持部１ｂａを支持孔１ｂｂを設けた切り起こし片とし、プロジェクタ装置本体２の係合部２ｂをこの切起こし片に対応するように形成した場合について説明したが、本発明はこれに限るものでなく、別途プロジェクタ装置本体２の後端部に装着し固定可能な係合部材等を介して吊下金具１の支持部１ｂａに回動可能に支持するようにしてもよい。
また、吊下金具１の支持部１ｂａをフック状に形成し、プロジェクタ装置本体２の係合部２ｂをこれに対応する孔やシャフトを形成するようにしてもよい。
この場合、既存のプロジェクタ装置本体２をそのまま使用したり最小限の加工によって適用できる。
更に、前記実施形態例では、吊下金具１の支持部１ｂａを後端部左右に設けた場合について説明したが、本発明はこれに限るものでなく、後端部中央に設けた場合も適用できる。
この場合には、プロジェクタ装置本体２の係合部２ｂも対応する後端部中央に設けられたものが対象となる。
【００１９】
更に、前記実施形態例では、吊下金具１の取付孔１ｃａをスリット孔とした場合について説明したが、本発明はこれに限るものでなく、瓢箪型孔として、天井３に予め取付けた下端部にストッパを設けた支持棒に引掛けて吊下金具１を取付ける場合も適用できる。
この場合には、吊下金具１を天井に取付ネジ４により取付ける必要がなく、また、プロジェクタ装置本体２に保持された吊下金具１を外すことなく天井３に取付けられるため、より簡単にワンタッチで取付けた後、高さ調整用の脚部２ａによって上下方向の投射角度を調整できる。
前記実施形態例では、高さ調整用の脚部２ａを係止部２ａｃを設けたものとして説明したが、本発明はこれに限るものでなく、ボルトの雄ネジと装置本体の雌ネジの関係により調整する高さ調整用の脚部とした場合も適用できる。
【００２０】
【発明の効果】
請求項１に記載の発明は、吊下金具を天井に取付け、機器本体底部の前端部左右の卓上における高さ調整用の脚部を吊下金具の挿着部に装着し、吊下金具の支持部に機器本体底部の後端部左右を回動可能に支持させるとともに、前記脚部により俯角を調整する構成としたので、卓上における高さ調整用の脚部を天井に吊下げる部材としても構成でき、かつ天井への吊下げ作業に不慣れな人でも容易に組付けや俯角の調整を行なうことができる。
【００２１】
請求項２に記載の発明は、請求項１に記載の発明において、前記挿着部を切欠きとしたことにより、卓上における高さ調整用の脚部を容易に挿着することができ、かつ簡単に形成することができる。
【００２２】
【図面の簡単な説明】
【図１】本発明による機器の吊下装置を示す構成図で、（ａ）は分解斜視図、（ｂ）は吊下げ後の機器の上下方向を調整する様子を示す側面図、（ｃ）は吊下げ後の背面図である。
【図２】本発明による吊下金具の構成図で、（ａ）は第一実施形態例の平面図、（ｂ）は第二実施形態例の要部平面図である。
【図３】本発明による高さ調整用の脚部の構成図で、（ａ）は脚部の収納時の概略側面図、（ｂ）は脚部の上下方向調整時の概略側面図である。
【図４】従来例１によるプロジェクタの天吊装置の構成図で、（ａ）は要部側面図、（ｂ）は要部正面図である。
【図５】従来例２によるプロジェクタの構成図で、（ａ）、（ｂ）は投射角度の調整量が大きい場合の動作を説明する図、（ｃ）は天井に設置する場合の動作を説明する図である。
【符号の説明】
１  吊下金具
１ａ  前端部
１ａａ  切欠き
１ａｃ  ストッパ
１ｂ  後端部
１ｂａ  支持部
１ｂｂ  支持孔
１ｃ  中間部
１ｃａ  取付孔
２  プロジェクタ装置本体
２ａ  高さ調整用の脚部
２ａａ  足
２ａｂ  ボルト
２ａｂ’  ネジ山
２ａｃ  係止部
２ａｄ  係止片
２ａｅ  軸支部
２ａｆ  バネ
２ａｇ  操作レバー
２ｂ  係合部
２ｃ  底部
２ｄ  前端部
２ｅ  後端部
２ｆ  投射レンズ
３  天井
４  取付ネジ
５  締付ネジ
【図１】
2004347835.tif 000003
【図２】
2004347835.tif 000004
【図３】
2004347835.tif 000005
【図４】
2004347835.tif 000006
【図５】
2004347835.tif 000007